(57)【特許請求の範囲】
【請求項１】
操作パネルに略円筒形状をなす操作装置本体を取り付け、
上記操作装置本体の前面側に円板状であってリング状をなす回転操作スイッチを回転操作可能に設け、
上記操作装置本体の前面側であって上記回転操作スイッチの中央部に中央部押圧操作スイッチを押圧操作可能に設け、
上記操作装置本体の円筒部であって上面側の同一軸方向位置に放射方向に押圧操作可能な円筒部押圧操作スイッチと円周方向にスライド操作可能なスライド操作スイッチを設け、
上記円筒部押圧操作スイッチと上記スライド操作スイッチは、上記操作装置本体全体を片手で握ったときに、該手の指先が自然に当たるような位置に配置されていて、
上記回転操作スイッチと上記中央部押圧操作スイッチは、上記操作装置本体全体を片手で握ったときに、該手の中に納まって容易に届く位置に配置されていて、
それによって、操作時に操作部に視線を向けることなく任意の操作スイッチを探して所望の操作を行うことができるように構成したことを特徴とする車両のエアーコンディショナー用操作装置。
【請求項２】
請求項１記載の車両のエアーコンディショナー用操作装置において、
上記操作装置本体の円筒部であって上面側には上記円筒部押圧操作スイッチが放射方向に押圧操作可能に設けられ、
上記操作装置本体の円筒部であって上記円筒部押圧操作スイッチを挟んで円周方向両側には上記スライド操作スイッチが円周方向にスライド操作可能に設けられていることを特徴とする車両のエアーコンディショナー用操作装置。
【請求項３】
請求項１又は請求項２記載の車両のエアーコンディショナー用操作装置において、
上記回転操作スイッチは吹出モード選択ロータリーノブであり、上記中央部押圧操作スイッチは「ＡＵＴＯ」、「ＭＡＮＵＡＬ」、「ＯＦＦ」を選択するエアコンスイッチであり、上記円筒部押圧操作スイッチは設定温度を高低させる２個の温度設定スイッチであり、上記スライド操作スイッチは風量切換スイッチと内気・外気切換スイッチであることを特徴とする車両のエアーコンディショナー用操作装置。
【発明の詳細な説明】
【０００１】
【発明が属する技術分野】
本発明は、車両のエアーコンディショナー用操作装置に係り、特に、捜査装置に視線を向けなくても所望の操作を行うことができるように工夫し、それによって、走行時の走行安全性の向上を図ったものに関する。
【０００２】
【従来の技術】
車両に搭載されているエアーコンディショナ用の操作装置としては、例えば、図７に示すようなものがある。まず、長方形の操作パネル１０１があり、この操作パネル１０１上に３個の操作スイッチ１０３、１０５、１０７が回転操作可能に配置されている。
【０００３】
上記操作スイッチ１０３の外周側には空気の流れを選択するための表示部１０９が設けられている。そして、操作スイッチ１０３を適宜の方向に回転操作して任意の空気の流れを選択するものである。
又、操作スイッチ１０５の外周部にはファン風量を選択するための表示部１１１が設けられている。そして、操作スイッチ１０５を適宜の方向に回転操作して任意のファン風量を選択するものである。
又、操作スイッチ１０７の外周部には、暖房・冷房の選択及び設定温度の設定を行うための表示部１１３がある。そして、操作スイッチ１０７を適宜の方向に回転操作して、暖房・冷房の選択及び温度の設定を行うものである。
【０００４】
又、別の種類の操作装置として図８に示すようなものがある。まず、長方形の操作パネル２０１があり、この操作パネル２０１上には、４個のスライド式の操作スイッチ２０３、２０５、２０７、２０９が左右方向に所定の範囲内でスライド可能に配置されている。
【０００５】
上記操作スイッチ２０３の下方には空気の流れを選択するための表示部２１１が設けられている。そして、操作スイッチ２０３を左右方向に適宜スライドさせることにより任意の空気の流れを選択するものである。
又操作スイッチ２０５の下方には空気を車両の内部で循環させるか（内気）外部から取り入れるか（外気）を選択するための表示部２１３が設けられている。そして、操作スイッチ２０５を左右方向の何れかにスライドさせることにより空気を車両の内部で循環させるか外部から取り入れるかを選択する。
又、操作スイッチ２０９の上方にはファン風量を選択するための表示部２１５が設けられている。そして、操作スイッチ２０９を左右方向に適宜スライドさせることにより、任意のファン風量を選択するものである。
又、操作スイッチ２０７の上方には暖房・冷房の選択及び温度の設定を行うための表示部２１７が設けられている。そして、操作スイッチ２０７を左右方向に適宜スライドさせることにより、暖房・冷房の選択及び温度の設定を行うものである。
【０００６】
更に別の操作装置として図９に示すようなものがある。まず、長方形の操作パネル３０１がある。この操作パネル３０１上には空気の流れを選択するための操作スイッチ群３０３と、空気を車両の内部で循環させるか（内気）外部から取り入れるか（外気）を選択する操作スイッチ群３０５、設定温度を調整するための操作スイッチ群３０７と、ファン風量を選択するための操作スイッチ群３０９と、表示部３１１とが配置されている。
【０００７】
そして、操作スイッチ群３０３内の任意の操作スイッチを操作することにより任意の空気の流れを選択するものである。
又、操作スイッチ群３０５内の任意の捜査スイッチを操作することにより空気を車両の内部で循環させるか外部から取り入れるかを選択するものである。
又、操作スイッチ群３０７を適宜操作することにより温度を設定するものである。又、操作スイッチ群３０９を適宜操作することによりファン風量を選択するものである。
又、それぞれのスイッチ操作により選択された内容は表示部３１１に表示されることになる。
【０００８】
【発明が解決しようとする課題】
上記従来の構成によると次のような問題があった。
図７〜図９に示した何れの操作装置の場合にも、全く同じような操作スイッチが複数個設置された構成になっており、したがって、操作する場合には操作スイッチと表示部を見ながら操作したい操作スイッチを特定して操作しなければならないという問題があった。つまり、走行中等においては、走行安全性を確保する観点からすれば視線を操作装置に移動させることは好ましいことではない。しかしながら、従来の構成では操作装置に視線を移さないと操作したい操作スイッチを特定することができず、結局、走行安全性が低下してしまうという問題があった。
【０００９】
本発明はこのような点に基づいてなされたものでその目的とするところは、操作時に視線を移動させることなく所望の操作を行うことを可能にする車両のエアーコンディショナー用操作装置を提供することにある。
尚、本願発明に直接関連するものではないが、実開昭６１−２０４８１１号公報に開示された操作装置がある。
【００１０】
【課題を解決するための手段】
上記目的を達成するべく本願発明の請求項１による車両のエアーコンディショナー用操作装置は、操作パネルに略円筒形状をなす操作装置本体を取り付け、上記操作装置本体の前面側に円板状であってリング状をなす回転操作スイッチを回転操作可能に設け、上記操作装置本体の前面側であって上記回転操作スイッチの中央部に中央部押圧操作スイッチを押圧操作可能に設け、上記操作装置本体の円筒部であって上面側の同一軸方向位置に放射方向に押圧操作可能な円筒部押圧操作スイッチと円周方向にスライド操作可能なスライド操作スイッチを設け、上記円筒部押圧操作スイッチと上記スライド操作スイッチは、上記操作装置本体全体を片手で握ったときに、該手の指先が自然に当たるような位置に配置されていて、上記回転操作スイッチと上記中央部押圧操作スイッチは、上記操作装置本体全体を片手で握ったときに、該手の中に納まって容易に届く位置に配置されていて、それによって、操作時に操作部に視線を向けることなく任意のスイッチを探して所望の操作を行うことができるように構成したことを特徴とするものである。
又、請求項２による車両のエアーコンディショナー用操作装置は、請求項１記載の車両のエアーコンディショナー用操作装置において、上記操作装置本体の円筒部であって上面側には上記円筒部押圧操作スイッチが放射方向に押圧操作可能に設けられ、上記操作装置本体の円筒部であって上記円筒部押圧操作スイッチを挟んで円周方向両側には上記スライド操作スイッチが円周方向にスライド操作可能に設けられていることを特徴とするものである。
又請求項３による車両のエアーコンディショナー用操作装置は、請求項１又は請求項２記載の車両のエアーコンディショナー用操作装置において、上記回転操作スイッチは吹出モード選択ロータリーノブであり、上記中央部押圧操作スイッチは「ＡＵＴＯ」、「ＭＡＮＵＡＬ」、「ＯＦＦ」を選択するエアコンスイッチであり、上記円筒部押圧操作スイッチは設定温度を高低させる２個の温度設定スイッチであり、上記スライド操作スイッチは風量切換スイッチと内気・外気切換スイッチであることを特徴とするものである。
【００１１】
すなわち、本願発明による車両用操作装置の場合には、従来のように同じような操作スイッチを平面的に複数個並べるのではなく、操作装置本体に対して複数個の操作スイッチを回転操作可能又は押圧操作可能又はスライド可能に取り付けて、全体が手のひら大に纏められていて片手で握った状態で所望の操作ができるように構成されているものである。つまり、片手で操作装置を握った状態で任意の指によって任意の操作スイッチを操作することができるものである。
操作装置本体の形状としては様々なものが考えられるが、例えば、略円筒形状とすることが考えられる。
又、操作装置本体に複数個の操作スイッチをどのように設けるかは任意であるが、例えば、操作装置本体は略円筒状に形成されていて、該円筒形状の前面円形部に回転操作可能な操作スイッチを設けると共に、この回転操作可能な操作スイッチの中央部に押圧操作可能な操作スイッチを設け、円筒形状の円筒部に放射方向に押圧操作可能な操作スイッチを設けると共に、この押圧操作可能な操作スイッチの両側に円筒部に沿って円周方向にスライド可能な操作スイッチを設けたものである。
又、この種の操作装置としては様々な用途が考えられるが、例えば、車両のエアーコンディショナ用の操作装置が考えられる。車両の場合には走行安全性を考慮すると操作時に操作装置に視線を移すことなく操作できるのが好ましい。この点、本願発明の場合には繰り返しの操作によって操作装置に視線を移すことなく所望の操作を行うことが可能となるので、走行時の安全性を向上させることができるものである。
【００１２】
【発明の実施の形態】
以下、図１乃至図６を参照して本発明の一実施の形態を説明する。図１は本実施の形態による車両用操作装置の全体の構成を示す斜視図である。まず、操作パネル１があり、この操作パネル１の前面側には操作装置３が取り付けられている。ここに示されている操作装置３は車両のエアーコンディショナ用のものである。
【００１３】
上記操作装置３であるが、まず、操作装置本体５を備えている。この操作装置本体５の前面側には吹出モード選択ロータリーノブ７が回転操作可能に取り付けられている。この吹出モード選択ロータリーノブ７の表面には吹出モードを示す表示部９が設けられている。
尚、上記表示部９を図５に拡大して示す。
【００１４】
又、上記吹出モード選択ロータリーノブ７の前面側であって中心位置には押しボタンタイプのエアコンスイッチ１１が設置されている。このエアコンスイッチ１１によって、「ＡＵＴＯ」、「ＭＡＮＵＡＬ」、「ＯＦＦ」の切換を行うものである。又、エアコンスイッチ１１の中心位置には表示部１２が設けられている。
【００１５】
上記操作装置本体５の円筒面側には、まず、押しボタンタイプの温度設定スイッチ１３、１５が並んだ状態で配置されている。上記温度設定スイッチ１３は設定温度を低い方に下げるスイッチであり、温度設定スイッチ１５は設定温度を高い方に上げるためのスイッチである。これら温度設定スイッチ１３、１５は、図２に示すように、操作装置本体５の上側であって中心位置に並んだ状態で配置されている。
【００１６】
上記温度設定スイッチ１３の近傍にはファン風量切換スイッチ１７が配置されている。このファン風量切換スイッチ１７は円周方向にスライドするタイプであって、図３に示すように、操作装置本体５側にスライドするためのスライド溝１９が設けられている。又、操作パネル１側にはファン風量を示す表示部２０が設けられている。
【００１７】
又、温度設定スイッチ１５に対して所定の間隔をおいた状態で内気・外気切換スイッチ２１が配置されている。この内気・外気切換スイッチ２１も上記ファン風量切換スイッチ１７と同様に円周方向にスライドするタイプのものであり、図４に示すように、操作装置本体５側にスライドするためのスライド溝２３が設けられている。又、操作パネル１側には内気・外気の選択を示す表示部２５が設けられている。
【００１８】
以上の構成を基にその作用を説明する。
例えば、走行時において運転者が片手（例えば、左手）３１を本実施の形態による操作装置３にかける。その様子を図６に示す。この場合、エアーコンディショナの操作に必要な全ての操作スイッチがこの操作装置３に集中して設けられているので、上記左手３１を操作装置３に掛けた状態で全ての操作を行うことができる。
【００１９】
具体的に説明すると、図６に示すように、まず、親指３３が内気・外気切換スイッチ２１に下側から掛かっている。つまり、親指３３を適宜動作させて内気・外気切換スイッチ２１を円周方向に適宜回動させることにより内気・外気の切換を行うことができる。
尚、その際、内気・外気切換スイッチ２１を図６中反時計方向にスライドさせる場合には図示するように親指３３を内気・外気切換スイッチ２１の下側に置けばよく、これに対して、内気・外気切換スイッチ２１を図６中時計方向にスライドさせる場合には親指３３を内気・外気切換スイッチ２１の上側に置けば良い。
【００２０】
又、人差し指３５が温度設定スイッチ１５上に置かれていると共に、中指３７が温度設定スイッチ１３上に置かれている。したがって、人差し指３５によって温度設定スイッチ１５を、又、中指３７によって設定温度スイッチ１３を適宜押圧操作することにより設定温度を調整・設定することができる。又、薬指３９がファン風量切換スイッチ１７に掛けられている。したがって、薬指３９をファン風量切換スイッチ１７の上下何れかに掛けて風量切換スイッチ１７を何れかの方向にスライドさせることにより風量の調整・設定が可能になる。又、小指４１は操作装置本体５に掛けられている。
【００２１】
そして、このような操作を繰り返し行っていくことにより、それぞれの指に対応する操作スイッチがどのような種類の操作スイッチであるかを覚えてしまうことになる。よって、走行時においても操作部材３に視線を向けることなく適宜の指を動作させることにより任意のスイッチを操作させて所望の動作を行わせることが可能になる。
又、これは吹出モード選択ロータリーノブ７、エアコンスイッチ１１についても同じである。
【００２２】
以上本実施の形態によると次のような効果を奏することができる。
まず、操作装置３に視線を向けることなく所望の操作を行うことが可能になり、それによって、車両の走行時の安全性を向上させることができる。これは、全ての操作スイッチを操作装置本体５を基材として一つの塊のような状態でまとめて配置し、片手で略包囲できる程度の大きさにして、任意の指による操作ができるように構成したからである。
又、これはスペース的にも有効であり、従来のような操作装置に比べて狭いスペースで足りることになり、スペースの有効利用を図ることができるものである。
【００２３】
尚、本発明は前記一実施の形態に限定されるものではない。
前記一実施の形態では車両のエアーコンディショナ用の操作装置を例に挙げて説明したがそれに限定されるものではなく各種の操作装置に適用可能である。
又、各操作スイッチを装置本体に対してどのような状態で取り付けるかについてはこれを特に限定するものではない。
【００２４】
【発明の効果】
以上詳述したように本発明による車両用操作装置によると、まず、操作装置に視線を向けることなく所望の操作を行うことが可能になり、それによって、車両の走行時の安全性を向上させることができる。これは、全ての操作スイッチを操作装置本体を基材として一つの塊のような状態でまとめて配置し、片手で略包囲して任意の指による操作ができるように構成したからである。
又、スペース的にも有効であり狭いスペースで足りることになるのでスペースの有効利用を図ることができるものである。
【図面の簡単な説明】
【図１】本発明の一実施の形態を示す図で、操作装置を取り付けた状態を示す斜視図である。
【図２】本発明の一実施の形態を示す図で、操作装置の正面図である。
【図３】本発明の一実施の形態を示す図で、図２のＩＩＩ−ＩＩＩ矢視図である。
【図４】本発明の一実施の形態を示す図で、図２のＩＶ−ＩＶ矢視図である。
【図５】本発明の一実施の形態を示す図で、表示部を拡大して示す図である。
【図６】本発明の一実施の形態を示す図で、操作装置を操作している様子を示す斜視図である。
【図７】従来例を示す図で、操作装置正面図である。
【図８】従来例を示す図で、操作装置の正面図である。
【図９】従来例を示す図で、操作装置の正面図である。
【符号の説明】
１  操作パネル
３  操作装置
５  操作装置本体
７  吹出モード選択ロータリーノブ
９  表示部
１１  エアコンスイッチ
１２  表示部
１３  温度設定スイッチ
１５  温度設定スイッチ
１７  ファン風量切換スイッチ
１９  スライド溝
２０  表示部
２１  内気・外気切換スイッチ
２３  スライド溝
【図１】
0004236800.tif 000002
【図２】
0004236800.tif 000003
【図３】
0004236800.tif 000004
【図４】
0004236800.tif 000005
【図５】
0004236800.tif 000006
【図６】
0004236800.tif 000007
【図７】
0004236800.tif 000008
【図８】
0004236800.tif 000009
【図９】
0004236800.tif 000010